【手続補正書】
【提出日】平成18年5月2日(2006.5.2)
【手続補正１】
【補正対象書類名】特許請求の範囲
【補正対象項目名】全文
【補正方法】変更
【補正の内容】
【特許請求の範囲】
【請求項１】
自らを識別するための媒体識別情報、金銭的価値をもつ電子マネー、及び電子マネーの発行組織体である複数のイシュアから前記電子マネーを発行したイシュアを識別するためのイシュア識別情報を記録してなる可搬性の記録媒体に、指示された金銭的価値分の電子マネーを補充する複数の電子マネー補充手段と、通信路を介して接続される電子マネー管理システムであって、
現金を受け取り、該受け取った現金に対応する電子マネーの補充をいずれかの記録媒体に対して行い、該補充が正常に終了した複数の電子マネー補充手段から、当該補充をした記録媒体の媒体識別情報、イシュア識別情報及び電子マネーの補充情報を含む入金ログを前記通信路を通じて取得する情報取得手段と、
この情報取得手段で取得した入金ログについて、イシュア識別情報に基づいてイシュアを特定し、電子マネーの補充情報に基づいて前記補充した電子マネーに対応する金額を特定するとともにこの特定した金額を前記特定したイシュア毎に前記イシュア識別情報を検索キーとして集計する入金集計手段と、
前記電子マネーの補充を行った電子マネー補充手段から当該補充に対応して受け取った現金の送金を受け取り、前記入金集計手段で集計された各イシュア毎の現金が電子マネー管理システムの管理主体の銀行口座から各イシュアに届くように口座間取引を実行させる入金管理手段と、
を備えたことを特徴とする、電子マネー管理システム。
【請求項２】
金銭的価値としての現金を受け取り、該受け取った現金に対応する電子マネーを、自らを識別するための媒体識別情報、電子マネーの発行組織体である複数のイシュアから電子マネーを発行したイシュアを識別するためのイシュア識別情報、及び金銭的価値をもつ電子マネーを記録してなる可搬性の記録媒体に補充し、該補充が正常に終了した複数の電子マネー補充手段から、当該補充をした前記記録媒体の媒体識別情報、イシュア識別情報、及び前記受け取った現金に対応する電子マネーの補充情報を含む入金ログを通信路を介して取得する第１の情報取得手段と、
前記第１の情報取得手段で取得した入金ログについて、イシュア識別情報に基づいてイシュアを特定し、電子マネーの補充情報に基づいて補充した電子マネーに対応する金銭的価値の金額を特定するとともにこの特定した金銭的価値の金額を前記特定したイシュア毎に前記イシュア識別情報を検索キーとして集計する第１の集計手段と、
金銭的価値をもつ電子マネーが記録された前記記録媒体から当該記録媒体を保有する者が所定の店舗において利用した金銭的価値分の電子マネーを減額した電子マネー減額手段から、当該電子マネーを減額した記録媒体に記録されている媒体識別情報、イシュア識別情報、利用元の店舗を識別するための店舗識別情報及び電子マネーの減額情報を取得する第２の情報取得手段と、
前記第２の情報取得手段で取得した情報のうち、イシュア識別情報に基づいてイシュアを特定し、店舗識別情報に基づいて利用元の店舗を特定し、電子マネーの減額情報に基づいて前記減額した電子マネーに対応する金銭的価値を特定するとともにその金銭的価値を前記特定されたイシュア及び店舗毎に集計する第２の集計手段と、
前記第１の集計手段及び第２の集計手段による集計結果に基づいて、前記金銭的価値の受け渡しを行う受渡手段と、を備えたことを特徴とする、電子マネー管理システム。
【請求項３】
前記受渡手段は、前記金銭的価値の受け渡しを所定の金融機関の口座間取引により行わせるように構成されている、
ことを特徴とする請求項２に記載の電子マネー管理システム。
【請求項４】
電子マネーの補充の指示と当該電子マネーに対応する金銭的価値とを受け付ける補充指示受付手段と、
前記受け付けた金銭的価値分の電子マネーを前記補充先となる記録媒体への電子マネーの補充が可能な電子マネー補充手段宛に前記通信路を通じて送出する補充指示管理手段と、
をさらに備えたことを特徴とする、請求項１、請求項２又は請求項３記載の電子マネー管理システム。
【請求項５】
電子マネーの補充の指示が、前記補充先の記録媒体との間で情報の受け渡しを行う媒体リーダ・ライタが接続され且つ所定の通信路を媒介とした通信を行う通信端末を通じて行われるものであり、
前記電子マネー補充手段は、当該記録媒体への電子マネーの補充と当該記録媒体からの媒体識別情報及びイシュア識別情報の読み出しとを前記媒体リーダ・ライタを通じて行うとともに、前記入金ログを、前記通信路を通じて出力可能に構成されていることを特徴とする、
請求項１、請求項２又は請求項３記載の電子マネー管理システム。
【請求項６】
電子マネーの補充の指示が、所定の通信路を媒介とした通信を行う第１の通信端末を通じて行われるものであり、
前記電子マネー補充手段は、当該記録媒体への電子マネーの補充と当該記録媒体からの媒体識別情報及びイシュア識別情報の読み出しとを当該記録媒体との間で情報の受け渡しを行う媒体リーダ・ライタが接続され且つ前記通信路を媒介とした通信を行う第２の通信端末を通じて行うとともに、前記入金ログを、前記通信路を通じて出力可能に構成されていることを特徴とする、
請求項１、請求項２又は請求項３記載の電子マネー管理システム。
【請求項７】
前記電子マネーの利用が、電子マネーが記録されている前記記録媒体との間で情報の受け渡しを行う媒体リーダ・ライタが接続され且つ所定の通信路を媒介とした通信を行う通信端末を通じて行われるものであり、
前記電子マネー減額手段は、当該記録媒体からの電子マネーの減額と当該記録媒体からの媒体識別情報及びイシュア識別情報の読み出しとを前記媒体リーダ・ライタを通じて行うとともに、前記電子マネーの減額情報、前記店舗識別情報、前記媒体識別情報及び前記イシュア識別情報を、前記通信路を通じて出力可能に構成されていることを特徴とする、
請求項２又は３記載の電子マネー管理システム。
【請求項８】
前記電子マネー補充手段は、いずれかのイシュアから任意のユーザに配付された前記記録媒体に当該イシュア以外の他のイシュアが発行した電子マネーを補充可能であることを特徴とする、
請求項１、請求項２又は請求項３記載の電子マネー管理システム。
【請求項９】
前記電子マネー補充手段が、店舗の精算レジスタに付加されており、当該精算レジスタにおいて生じた釣り銭を電子マネーに換算して前記記録媒体に補充可能に構成されていることを特徴とする、
請求項１、請求項２又は請求項３記載の電子マネー管理システム。
【請求項１０】
電子マネーを補充する際に補充が正常終了しなかった記録媒体のリカバリ処理を行うリカバリ管理手段をさらに備えたことを特徴とする、
請求項１、請求項２又は請求項３記載の電子マネー管理システム。
【請求項１１】
前記記録媒体への電子マネーの補充履歴と当該記録媒体からの電子マネーの利用履歴とを媒体識別情報とリンクさせて記録する履歴管理手段をさらに備え、記録媒体の活用状況を把握可能に構成されていることを特徴とする、
請求項１、請求項２又は請求項３記載の電子マネー管理システム。
【請求項１２】
前記補充先の記録媒体を保有する者以外の第三者からの電子マネーの補充の指示を受け付ける補充指示受付手段と、
補充対象となる電子マネーに対応する金銭的価値を前記第三者の名称及び前記特定の記録媒体の媒体識別情報と共に保持するとともに、当該特定の記録媒体への補充可能な電子マネー補充手段が特定されたときに前記保持している電子マネーを当該記録媒体に補充させる補充管理手段とをさらに備えたことを特徴とする、
請求項１、請求項２又は請求項３記載の電子マネー管理システム。
【請求項１３】
前記第三者がイシュアであり、当該イシュアが独自に定めた条件に適合する記録媒体宛にそのイシュアが発行した所定の金銭的価値分の電子マネーの補充の指示が発出されることを特徴とする、
請求項１２記載の電子マネー管理システム。
【請求項１４】
前記第三者からの電子マネーの補充指示を受け付けたときに前記特定の記録媒体を保有する者宛に所定のメッセージを送出するメッセージ管理手段をさらに備えたことを特徴とする、
請求項１２又は請求項１３記載の電子マネー管理システム。
【請求項１５】
前記記録媒体がＩＣチップを搭載したＩＣチップ搭載媒体であり、前記ＩＣチップがイシュア毎に発行されるものであることを特徴とする、
請求項１から請求項１４のいずれかの請求項記載の電子マネー管理システム。
【請求項１６】
前記ＩＣチップ搭載媒体が非接触ＩＣカードであることを特徴とする、
請求項１５記載の電子マネー管理システム。
【手続補正２】
【補正対象書類名】明細書
【補正対象項目名】発明の名称
【補正方法】変更
【補正の内容】
【発明の名称】電子マネー管理システム
【手続補正３】
【補正対象書類名】明細書
【補正対象項目名】０００７
【補正方法】変更
【補正の内容】
【０００７】
（１）請求項１記載の発明では、自らを識別するための媒体識別情報、金銭的価値をもつ電子マネー、及び電子マネーの発行組織体である複数のイシュアから前記電子マネーを発行したイシュアを識別するためのイシュア識別情報を記録してなる可搬性の記録媒体に、指示された金銭的価値分の電子マネーを補充する複数の電子マネー補充手段と、通信路を介して接続される電子マネー管理システムであって、現金を受け取り、該受け取った現金に対応する電子マネーの補充をいずれかの記録媒体に対して行い、該補充が正常に終了した複数の電子マネー補充手段から、当該補充をした記録媒体の媒体識別情報、イシュア識別情報及び電子マネーの補充情報を含む入金ログを前記通信路を通じて取得する情報取得手段と、この情報取得手段で取得した入金ログについて、イシュア識別情報に基づいてイシュアを特定し、電子マネーの補充情報に基づいて前記補充した電子マネーに対応する金額を特定するとともにこの特定した金額を前記特定したイシュア毎に前記イシュア識別情報を検索キーとして集計する入金集計手段と、前記電子マネーの補充を行った電子マネー補充手段から当該補充に対応して受け取った現金の送金を受け取り、前記入金集計手段で集計された各イシュア毎の現金が電子マネー管理システムの管理主体の銀行口座から各イシュアに届くように口座間取引を実行させる入金管理手段と、を電子マネー管理システムに具備させる。
（２）請求項２に記載した発明では、金銭的価値としての現金を受け取り、該受け取った現金に対応する電子マネーを、自らを識別するための媒体識別情報、電子マネーの発行組織体である複数のイシュアから電子マネーを発行したイシュアを識別するためのイシュア識別情報、及び金銭的価値をもつ電子マネーを記録してなる可搬性の記録媒体に補充し、該補充が正常に終了した複数の電子マネー補充手段から、当該補充をした前記記録媒体の媒体識別情報、イシュア識別情報、及び前記受け取った現金に対応する電子マネーの補充情報を含む入金ログを通信路を介して取得する第１の情報取得手段と、前記第１の情報取得手段で取得した入金ログについて、イシュア識別情報に基づいてイシュアを特定し、電子マネーの補充情報に基づいて補充した電子マネーに対応する金銭価値の金額を特定するとともにこの特定した金銭的価値の金額を前記特定したイシュア毎に前記イシュア識別情報を検索キーとして集計する第１の集計手段と、金銭的価値をもつ電子マネーが記録された前記記録媒体から当該記録媒体を保有する者が所定の店舗において利用した金銭的価値分の電子マネーを減額した電子マネー減額手段から、当該電子マネーを減額した記録媒体に記録されている媒体識別情報、イシュア識別情報、利用元の店舗を識別するための店舗識別情報及び電子マネーの減額情報を取得する第２の情報取得手段と、前記第２の情報取得手段で取得した情報のうち、イシュア識別情報に基づいてイシュアを特定し、店舗識別情報に基づいて利用元の店舗を特定し、電子マネーの減額情報に基づいて前記減額した電子マネーに対応する金銭的価値を特定するとともにその金銭的価値を前記特定されたイシュア及び店舗毎に集計する第２の集計手段と、前記第１の集計手段及び第２の集計手段による集計結果に基づいて、前記金銭的価値の受け渡しを行う受渡手段と、を電子マネー管理システムに具備させる。
（３）請求項３に記載した発明では、請求項２に記載の電子マネー管理システムにおいて、前記受渡手段は、前記金銭的価値の受け渡しを所定の金融機関の口座間取引により行わせるように構成されている、ことを特徴とする。
（４）請求項４に記載した発明では、請求項１、請求項２又は請求項３記載の電子マネー管理システムにおいて、電子マネーの補充の指示と当該電子マネーに対応する金銭的価値とを受け付ける補充指示受付手段と、前記受け付けた金銭的価値分の電子マネーを前記補充先となる記録媒体への電子マネーの補充が可能な電子マネー補充手段宛に前記通信路を通じて送出する補充指示管理手段と、をさらに備えたことを特徴とする。
（５）請求項５に記載した発明では、請求項１、請求項２又は請求項３記載の電子マネー管理システムにおいて、電子マネーの補充の指示が、前記補充先の記録媒体との間で情報の受け渡しを行う媒体リーダ・ライタが接続され且つ所定の通信路を媒介とした通信を行う通信端末を通じて行われるものであり、前記電子マネー補充手段は、当該記録媒体への電子マネーの補充と当該記録媒体からの媒体識別情報及びイシュア識別情報の読み出しとを前記媒体リーダ・ライタを通じて行うとともに、前記入金ログを、前記通信路を通じて出力可能に構成されていることを特徴とする。
（６）請求項６に記載した発明では、請求項１、請求項２又は請求項３記載の電子マネー管理システムにおいて、電子マネーの補充の指示が、所定の通信路を媒介とした通信を行う第１の通信端末を通じて行われるものであり、前記電子マネー補充手段は、当該記録媒体への電子マネーの補充と当該記録媒体からの媒体識別情報及びイシュア識別情報の読み出しとを当該記録媒体との間で情報の受け渡しを行う媒体リーダ・ライタが接続され且つ前記通信路を媒介とした通信を行う第２の通信端末を通じて行うとともに、前記入金ログを、前記通信路を通じて出力可能に構成されていることを特徴とする。
（７）請求項７に記載した発明では、請求項２又は３記載の電子マネー管理システムにおいて、前記電子マネーの利用が、電子マネーが記録されている前記記録媒体との間で情報の受け渡しを行う媒体リーダ・ライタが接続され且つ所定の通信路を媒介とした通信を行う通信端末を通じて行われるものであり、前記電子マネー減額手段は、当該記録媒体からの電子マネーの減額と当該記録媒体からの媒体識別情報及びイシュア識別情報の読み出しとを前記媒体リーダ・ライタを通じて行うとともに、前記電子マネーの減額情報、前記店舗識別情報、前記媒体識別情報及び前記イシュア識別情報を、前記通信路を通じて出力可能に構成されていることを特徴とする。
（８）請求項８に記載した発明では、請求項１、請求項２又は請求項３記載の電子マネー管理システムにおいて、前記電子マネー補充手段は、いずれかのイシュアから任意のユーザに配付された前記記録媒体に当該イシュア以外の他のイシュアが発行した電子マネーを補充可能であることを特徴とする。
（９）請求項９に記載した発明では、請求項１、請求項２又は請求項３記載の電子マネー管理システムにおいて、前記電子マネー補充手段が、店舗の精算レジスタに付加されており、当該精算レジスタにおいて生じた釣り銭を電子マネーに換算して前記記録媒体に補充可能に構成されていることを特徴とする。
（１０）請求項１０に記載した発明では、請求項１、請求項２又は請求項３記載の電子マネー管理システムにおいて、電子マネーを補充する際に補充が正常終了しなかった記録媒体のリカバリ処理を行うリカバリ管理手段をさらに備えたことを特徴とする。
（１１）請求項１１に記載した発明では、請求項１、請求項２又は請求項３記載の電子マネー管理システムにおいて、前記記録媒体への電子マネーの補充履歴と当該記録媒体からの電子マネーの利用履歴とを媒体識別情報とリンクさせて記録する履歴管理手段をさらに備え、記録媒体の活用状況を把握可能に構成されていることを特徴とする。
（１２）請求項１２に記載した発明では、請求項１、請求項２又は請求項３記載の電子マネー管理システムにおいて、前記補充先の記録媒体を保有する者以外の第三者からの電子マネーの補充の指示を受け付ける補充指示受付手段と、補充対象となる電子マネーに対応する金銭的価値を前記第三者の名称及び前記特定の記録媒体の媒体識別情報と共に保持するとともに、当該特定の記録媒体への補充可能な電子マネー補充手段が特定されたときに前記保持している電子マネーを当該記録媒体に補充させる補充管理手段とをさらに備えたことを特徴とする。
（１３）請求項１３に記載した発明では、請求項１２記載の電子マネー管理システムにおいて、前記第三者がイシュアであり、当該イシュアが独自に定めた条件に適合する記録媒体宛にそのイシュアが発行した所定の金銭的価値分の電子マネーの補充の指示が発出されることを特徴とする。
（１４）請求項１４に記載した発明では、請求項１２又は請求項１３記載の電子マネー管理システムにおいて、前記第三者からの電子マネーの補充指示を受け付けたときに前記特定の記録媒体を保有する者宛に所定のメッセージを送出するメッセージ管理手段をさらに備えたことを特徴とする。
（１５）請求項１５に記載した発明では、請求項１から請求項１４のいずれかの請求項記載の電子マネー管理システムにおいて、前記記録媒体がＩＣチップを搭載したＩＣチップ搭載媒体であり、前記ＩＣチップがイシュア毎に発行されるものであることを特徴とする。
（１６）請求項１６に記載した発明では、請求項１５記載の電子マネー管理システムにおいて、前記ＩＣチップ搭載媒体が非接触ＩＣカードであることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００２７
【補正方法】変更
【補正の内容】
【００２７】
図２は、ユーザカードの一例を示した図である。
このユーザカードＵＣは、ＩＣチップ内に形成された、ＣＰＵ（Ｃｅｎｔｒａｌ  Ｐｒｏｃｅｓｓｉｎｇ  Ｕｎｉｔ）によって構成される制御部１００１、ＲＯＭ（Ｒｅａｄ  Ｏｎｌｙ  Ｍｅｍｏｒｙ）１００２、ＲＡＭ（Ｒａｎｄｏｍ  Ａｃｃｅｓｓ  Ｍｅｍｏｒｙ）１００３、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）１００４と、カード媒体上に形成されたカード通信インタフェース１００５とを有する。
カード通信インタフェース１００５は、ユーザカードＵＣが接触式ＩＣカードの場合は電気接点、非接触式ＩＣカードの場合には送受信用のアンテナとなる。
ＥＥＰＲＯＭ１００４には、図３のように、識別情報Ｂ０１、ファイル及びディレクトリの定義情報Ｂ０２、ファイルへのアクセスキーＢ０３等の管理情報と、電子マネーの残高を表す残高データＢ０４と、電子マネーの利用履歴（リカバリに関わるものを含む）を表すログデータＢ０５と、ユーザに関するユーザデータＢ０６等が記録されるようになっている。
識別情報Ｂ０１は、図４に示すように１６桁の数字からなり、最初の４桁が電子マネーのイシュアを識別するためのイシュアＩＤ、次の４桁がカードを発券した組織体を識別するためのカード発券体ＩＤ、次の８桁がそのＩＣカードに固有のシリアル番号となる。カード発券体ＩＤとシリアル番号との組によってカードＩＤとして扱われる。
【手続補正１５】
【補正対象書類名】明細書
【補正対象項目名】００２８
【補正方法】変更
【補正の内容】
【００２８】
次に、各端末装置２０〜６０及び電子マネー管理サーバ１０の構成例をより具体的に説明する。
［入金端末装置］
入金端末装置３０は、図５にその構成例を示すように、制御部３０１、ユーザが保有するユーザカードＵＣとの間でデータの受け渡しを行うＩＣカードリーダ・ライタ３０２、ユーザのキャッシュカードやクレジットカードの磁気記録帯（ストライプ）からデータを読み取る磁気カードリーダ３０３、ユーザカードの正当性を認証するカード認証部３０４、投入された現金の金種判定、その受付その他の所要の処理を行う現金処理部３０５、補充記録であるレシートを印字するプリンタ３０６、液晶またはＣＲＴからなる表示部３０７、キーボードまたはタッチパネルからなる操作部３０８、電子マネーの補充に関する情報を記憶するデータ記憶部３０９、コンピュータネットワークを介して外部装置と通信を行うための通信インタフェース３１０とを備えている。
制御部３０１は、ユーザによる操作部３０８の操作、ＩＣカードリーダ・ライタ３０２へのユーザカードＵＣの装着又は磁気カードリーダ３０３へのカード装着を契機に、ユーザカードＵＣからの情報の読み取り及びユーザカードＵＣへの電子マネーの補充に関する一切の動作を制御する。必要に応じて、電子マネー管理サーバ１０との間に通信路を確立し、所要の情報の受け渡しを行う。
データ記憶部３０９には、上記の電子マネーの補充に関する情報のほかに、当該入金端末装置３０を識別するためのＩＤが、例えば数字１０桁の番号として記録されている。このＩＤは、その入金端末装置３０に一意となる数字であって、電子マネー管理サーバ１０等が電子マネーの流通状態を管理する目的で使用するものである。
【手続補正１６】
【補正対象書類名】明細書
【補正対象項目名】００３０
【補正方法】変更
【補正の内容】
【００３０】
図６は、サーバ本体がコンピュータプログラムを読み取って実行することにより形成される機能ブロックの構成図である。
この実施形態では、電子マネー管理に関する統括的な制御を行う制御部１００、電子マネーの補充の際の入金管理を行う入金管理部１１０、電子マネーを発行するすべてのイシュアの情報を管理するイシュア管理部１２０、ユーザカードＵＣに記録されている情報を管理するカード情報管理部１３０、電子マネーの利用が可能なすべての加盟店の情報を管理する加盟店管理部１４０、外部より受け付けた電子マネーの補充指示の情報を管理する補充指示管理部１５０、電子マネーの補充が正常終了しなかったユーザカードＵＣを正常終了した状態に修復させるリカバリ処理部１６０、各種端末装置の認証を行う端末装置認証部１７０、電子マネーが利用されたときの精算処理を行う精算管理部１８０、インターネットＮとの間で行う通信を制御する通信インタフェース１９０が形成されるようにする。
【手続補正１７】
【補正対象書類名】明細書
【補正対象項目名】００３１
【補正方法】変更
【補正の内容】
【００３１】
入金管理部１１０は、電子マネーが補充されたときの入金管理に関する処理を行うもので、ユーザや第三者からの補充指示を受け付ける際のウェブ画面を生成する機能をも有する。また、入金に関わる事業者の情報を蓄積した入金業者データベース（以下、データベースを「ＤＢ」と略す。）１１１と、補充用に入金された履歴をユーザカードＵＣを識別するための情報とリンクして記録しておくための入金ログＤＢ１１２とを有している。入金ログは、ユーザカードＵＣの活用状況を事後的に把握するため等に使用される。
イシュア管理部１２０は登録されているイシュアの情報を蓄積するイシュアＤＢ１２１と利用された電子マネー及びそれに対応する金額の集計データをイシュア毎に記録しておくための電子マネー発行管理ＤＢ１２２とを有している。
カード情報管理部１３０は、電子マネーが補充され、あるいは減額されたユーザカードＵＣの情報を蓄積するためのカード情報ＤＢ１３１を有している。
加盟店管理部１４０はこの電子マネーシステムに加盟しているすべての加盟店の情報を蓄積するための加盟店ＤＢ１４１と、電子マネーが利用された事実等を蓄積するための利用ログＤＢ１４２とを有している。
補充指示管理部１５０は、第三者から特定のユーザカードＵＣへの補充を指示された電子マネーをその第三者の名称及び補充対象となるユーザカードＵＣが明らかになる情報と共に一時的に保存するためのバリューＤＢ１５１と、例えばイシュアが独自に定めた電子マネー付与のための条件等を蓄積したバリュー付与条件ＤＢ１５２とを有している。
端末装置認証部１７０は暗号通信を行う際に使用する鍵を蓄積する暗号ＤＢ１７１を有している。
精算管理部１８０は、電子マネーが利用された日時、金額、店舗等をユーザカードＵＣ及びイシュア毎に蓄積する精算ログＤＢ１８１と、現金の精算等に関わる事業者の情報を蓄積した精算業者ＤＢ１８２と、入金先又は引き落とし先となる者（事業者、店舗経営者等）の銀行口座等を蓄積する銀行口座ＤＢ１８３とを有している。
精算ログは、ユーザカードＵＣの活用状況を事後的に把握して分析するため等に使用される。
【手続補正１８】
【補正対象書類名】明細書
【補正対象項目名】００３２
【補正方法】変更
【補正の内容】
【００３２】
［イシュアサーバ］
イシュアサーバ２０もまた、インターネットＮを媒介とした通信機能を有するサーバ本体と、このサーバ本体のＣＰＵにより読み取られて所要の機能をサーバ内に形成させるコンピュータプログラムとにより実現される。
イシュアによっては、自己が発行した電子マネーが利用されたことを認知した時点で利用額の現金又はそれと同等の財的価値をもつポイントを利用元に支払うサービスを行う場合も考えられ、このような場合には、電子マネーの利用額累計を管理するだけの最も単純な管理形態が可能であるが、この実施形態では、電子マネーの流通状況と利用履歴をも把握できるようにするため、自らが発行したユーザカードＵＣと１対１に対応したマネー口座を、電子マネーの発行高累計と共に管理する場合の例を挙げる。マネー口座は、現在、そのユーザカードＵＣにどの位の電子マネーが記録され、あるいは利用されているかを把握できるようにするためのものである。
そのため、本実施形態では、図７に示すように、イシュアサーバ２０に、電子マネーの管理に関わる制御を統括的に行う制御部２０１と、発行した電子マネーについての入金実績の管理を入金ログＤＢ２０２Ａと、電子マネーの利用ログを蓄積するための利用ログＤＢ２０３Ａと、ユーザカードＵＣ毎の電子マネーの利用状況を記録するためのマネー口座を特定するための情報を蓄積した口座ＤＢ２０５と、入金ログＤＢ２０２Ａ及び口座ＤＢ２０５との協働により電子マネーの利用実績を管理する入金実績管理部２０２と、利用ログＤＢ２０３Ａ及び口座ＤＢ２０５との協働により自らが発行した電子マネーの利用実績を管理する利用実績管理部２０３と、発行された電子マネー及び利用された電子マネーに対応する現金の出納状況管理を口座ＤＢ２０５との協働により行う出納管理部２０４と、インターネットＮとの間の通信を制御する通信インタフェース２０６の機能ブロックが形成されるようにする。
【手続補正１９】
【補正対象書類名】明細書
【補正対象項目名】００３３
【補正方法】変更
【補正の内容】
【００３３】
［加盟店端末装置］
加盟店端末装置５０は、図８に示すようにユーザカードＵＣとの間で情報の受け渡しを行うＩＣカードリーダ・ライタ５０２、そのユーザカードＵＣの正当性を認証するＩＣカード認証部５０３、利用（費消）記録であるレシートを印字するプリンタ５０４、液晶またはＣＲＴからなる表示部５０５、キーボードまたはタッチパネルからなる操作部５０６、記憶部５０７、インターネットＮを媒介とした通信を制御する通信インタフェース５０８、及び、現在時刻を計時するための時計部５０９を有している。
記憶部５０７には、加盟店端末装置のＩＤが、例えば数字１０桁の識別番号として記録されている。このＩＤは当該加盟店端末装置に一意となる数字であって、電子マネー管理サーバ１０等が電子マネーの流通状態を管理する目的で使用するものである。
【手続補正２０】
【補正対象書類名】明細書
【補正対象項目名】００３４
【補正方法】変更
【補正の内容】
【００３４】
［主幹銀行口座管理コンピュータ等］
主幹銀行の口座管理コンピュータ４０及び銀行等システム７０は、電子マネー管理サーバ１０等の要求に従って指定の口座への入金または指定の口座への振り込み処理を行う。
【手続補正２１】
【補正対象書類名】明細書
【補正対象項目名】００３５
【補正方法】変更
【補正の内容】
【００３５】
［家庭用端末装置］
家庭用端末装置６０は、図９に示すように、ＰＣ６１及びこのＰＣ６１に接続可能な専用のＩＣカードリーダ・ライタ６２を含んで構成される。ＰＣ６１には、図９に示すように、キーボード６１４、マウス６１５などの入力装置、ＣＲＴや液晶ディスプレイなどの表示装置６１３が接続されるようになっている。ＰＣ６１は、また、装置内の動作を制御する制御部６１１、ＩＣカードリーダ・ライタ６２や表示装置６１３等とのインタフェース６１２、カード認証を行うためのＩＣカード認証部６１６、プログラム等を記憶させておくための記憶部６１７、加入者電話回線またはインターネット専用回線によって、上述したコンピュータネットワーク上の電子マネー管理サーバ１０に接続するための通信インタフェース６１８、表示装置６１３にインタフェース画面を表示させるためのウエブブラウザ６１９を備えている。
ＩＣカード認証部６１６は、専用のハードウェアをＰＣ６１に装着することによって実現してもよいし、電子マネー管理会社から供給される専用のプログラムおよびデータを記憶部６１７に読み込んで制御部６１１がこれを実行することによっても実現可能である。また、ウェブブラウザ６１９は、市販のＷＷＷ（Ｗｏｒｌｄ  Ｗｉｄｅ  Ｗｅｂ）サイト閲覧ソフト、例えば、マイクロソフト社が提供する「Ｉｎｔｅｒｎｅｔ  Ｅｘｐｌｏｒｅｒ」を記憶部６１７に読み込んで、制御部６１１がこれを実行することによっても実現される。
【手続補正２２】
【補正対象書類名】明細書
【補正対象項目名】００３７
【補正方法】変更
【補正の内容】
【００３７】
［電子マネーの補充１：オフライン補充］
ユーザの意思による電子マネーの補充形態のうち、オフラインで行う場合の概念図を図１０に示す。オフラインによる電子マネーの補充は、ユーザカードＵＣを保有するユーザが最寄りの入金端末装置３０の現金投入口９０１に現金を投入することにより、あるいはその入金端末装置３０の磁気カードリーダ３０３に装着されたキャッシュカード若しくはクレジットカードを挿入することにより、ＩＣカードリーダ・ライタ３０２に装着された自分のユーザカードＵＣに、指示した額の電子マネーを補充する。入金端末装置３０を使用可能なユーザカードＵＣとしては、その入金端末装置３０を設置したイシュアが発行したものに限定されず、他のイシュア（イシュアＡ、イシュアＢ・・・）が発行したユーザカードＵＣであってもよい。
【手続補正２３】
【補正対象書類名】明細書
【補正対象項目名】００３８
【補正方法】変更
【補正の内容】
【００３８】
この場合の入金端末装置３０（制御部３０１）における処理手順は、図１１のようになる。
ＩＣカードリーダ・ライタ３０２にユーザカードＵＣが装着され、操作部３０８を介して電子マネーの補充が指示されると（Ｓ１０１：Ｙｅｓ、Ｓ１０２：Ｙｅｓ）、制御部３０１は、ＩＣカードリーダ・ライタ３０２を通じてそのユーザカードＵＣに記録されている識別情報Ｂ０１を読み出し（Ｓ１０３）、カード認証部３０４にユーザカードＵＣの正当性を認証させる（Ｓ１０４）。カード認証は、当該入金端末装置３０内のみで行ってもよく、電子マネー管理サーバ１０に接続して所定の情報を送信し、電子マネー管理サーバ１０側（カード情報管理部１３０）で、あるいは電子マネー管理サーバ１０と当該入金端末装置３０との協働によって行うようにしてもよい。
カード認証の結果、正当なユーザカードＵＣであった場合は、表示部３０７を通じてユーザに現金投入を促す。現金投入が検知された場合は（Ｓ１０５：Ｙｅｓ）その金額を表す金額データをユーザカードＵＣへ送出する（Ｓ１０６）。ユーザカードＵＣでは、その制御部１００１が、入金端末装置３０から送信された金額データをＥＥＰＲＯＭ１００４の電子マネー残高に加えることにより、当該電子マネーの残高を表す残高データＢ０４を更新する。更新が正常に終了した場合は（Ｓ１０７：Ｙｅｓ）、当該ユーザカードＵＣに補充済コードを記録する（Ｓ１０８）。更新が正常に終了しなかった場合は、バックアップ処理を実行する（Ｓ１０７：Ｎｏ、Ｓ１０９）、バックアップ処理とは、補充用にユーザカードＵＣへ送出した金額データが表す入金額とそのユーザカードＵＣの識別情報Ｂ０１とを図示しないテンポラリファイルに記録しておく処理である。その後、更新が正常に終了したユーザカードＵＣから読み取った識別番号Ｂ０１、入金額、入金の日時、自装置（入金端末装置）の端末装置ＩＤを含む入金ログ、更新が正常に終了しなかった場合は、上記のテンポラリファイルに記録されている情報を電子マネーの補充情報として、通信インタフェース３１０を通じて電子マネー管理サーバ１０宛に送信する（Ｓ１１０）。
【手続補正２４】
【補正対象書類名】明細書
【補正対象項目名】００３９
【補正方法】変更
【補正の内容】
【００３９】
なお、ステップＳ１０１の処理において、正常に更新されなかったユーザカードＵＣが装着されたときは、そのリカバリ処理を行う。リカバリ処理は、上述のように、当該ユーザカードＵＣに金額データを送出したが、何らかのトラブルによりユーザカードＵＣに補充済データが記録されていない場合に、そのユーザカードＵＣに、事後的に補充済データを記録させることにより、既に記録されている電子マネーを利用可能にするものである。
リカバリ処理が必要なユーザカードＵＣは、上記の補充情報により電子マネー管理サーバ１０側で把握されているので、例えばカード認証（上記のＳ１０４）の際、そのようなユーザカードＵＣを認知したときに、電子マネー管理サーバ１０（リカバリ処理部１６０）からの指示により、そのユーザカードＵＣに補充済データを記録させるようにする。
【手続補正２５】
【補正対象書類名】明細書
【補正対象項目名】００４７
【補正方法】変更
【補正の内容】
【００４７】
［入金管理処理］
次に、ユーザカードＵＣに電子マネーが実際に補充された場合の入金管理処理について説明する。この処理の手順は、図１４に示すとおりである。上述のように、入金端末装置３０で電子マネーが補充されると、その入金端末装置３０から入金ログが電子マネー管理サーバ１０に届く。また、イシュア又は個人から補充指示を受け付け、それが実行された場合（該当するユーザカードＵＣが検知され、それに電子マネーが補充された場合）には入金ログの一部又は全部が電子マネー管理サーバ１０に存在する。
このように、ユーザカードＵＣへの電子マネーの補充が行われた場合は、その事実と、補充先のユーザカードＵＣ及び電子マネーのイシュアを特定するための情報と、入金額を示す情報とがすべて電子マネー管理サーバ１０において把握可能になる。そこで、電子マネー管理サーバ１０が主体的となって、以下の手順で入金管理処理を行う。
【手続補正２６】
【補正対象書類名】明細書
【補正対象項目名】００４９
【補正方法】変更
【補正の内容】
【００４９】
イシュア別の集計ないし振り分けの処理が終わると、イシュア管理部１２０は、発行管理ＤＢ１２２中に記憶されているイシュア別の入金ログのうち少なくとも入金額の情報を、該当するイシュアのイシュアサーバ２０宛に送信する（Ｓ３０６）。また、そのイシュア宛に、振り分けされた入金ログに対応する現金が届くように、主幹銀行口座管理コンピュータ４０又は銀行等システム７０を制御する（Ｓ３０７）。
イシュアサーバ２０では、入金ログを受信すると、入金実績管理部２０２でそれを入金ログＤＢ２０２Ａに記憶させるとともに、その入金ログに含まれる識別情報Ｂ０１によって特定されるユーザカードＵＣのマネー口座に入金額を入金する。入金実績管理部２０２は、口座ＤＢ２０５を検索し、入金ログに対応する金額が電子マネー管理会社から実際に振込がなされているかどうかを確認し、なされていれば入金のための処理を終える。
【手続補正２７】
【補正対象書類名】明細書
【補正対象項目名】００５３
【補正方法】変更
【補正の内容】
【００５３】
より具体的には、図１６に示す手順で、利用処理が行われる。
ユーザカードＵＣが加盟店端末装置５０のＩＣカードリーダ・ライタ５０２と通信可能な状態、例えばＩＣカードリーダ・ライタ５０２に装着されると（Ｓ４０１：Ｙｅｓ）、例えば加盟店の店員が操作部５０６を操作して取引開始を指示する（Ｓ４０２）。制御部５０１は、ＩＣカードリーダ・ライタ５０２を制御してユーザカードＵＣから識別情報Ｂ０１を読み出すと共に（Ｓ４０３）、ＩＣカード認証部５０３にカード認証を行わせる（Ｓ４０４）。正当なユーザカードＵＣであった場合、制御部５０１は、操作部５０６から利用額が入力されるのを待つ。利用額が操作部５０６から入力されると（Ｓ４０５：Ｙｅｓ）、制御部５０１は、ＩＣカードリーダ・ライタ５０２を制御して、当該利用額に基づいてユーザカードのＥＥＰＲＯＭに記録されている残高データから利用額分を減算する（Ｓ４０６）と共に、記憶部５０７に、利用ログとして、その金額、識別情報、利用日時情報、加盟店端末装置ＩＤを記憶させる（Ｓ４０７）。なお、利用日時情報は、時計部５０９から取得される。制御部５０１は、一定期間分利用ログを蓄えるとともに、電子マネー管理会社と個別に定めた日程で、蓄積された利用ログを通信インタフェース３１０を介して電子マネー管理サーバ１０に送信する（Ｓ４０８）。
【手続補正２８】
【補正対象書類名】明細書
【補正対象項目名】００５４
【補正方法】変更
【補正の内容】
【００５４】
［電子マネーの利用２］
ユーザが、家庭用端末装置６０を用いて、サイバー加盟店（加盟店端末装置５０）において電子マネーを利用する場合の例を説明する。この場合は、ＩＣカードリーダ・ライタ６２にユーザカードＵＣを装着し、通常のオンライントレードと同様の手順で、取引を行う。この場合の手順を、図１７の家庭用端末装置６０の処理手順を中心に説明する。
【手続補正２９】
【補正対象書類名】明細書
【補正対象項目名】００５６
【補正方法】変更
【補正の内容】
【００５６】
［精算管理処理］
上述のように、ユーザが電子マネーを利用したときは、それがどの加盟店で利用された場合であっても電子マネー管理サーバ１０に利用ログが集まる。電子マネー管理サーバ１０では、これらの利用ログに基づいて図１８のようにして精算管理処理を行う。
すなわち、利用ログを受信した場合、加盟店管理部１４０はそれらの利用ログを所定期間毎に利用ログＤＢ１４２に蓄積させる（Ｓ６０１：Ｙｅｓ、Ｓ６０２）。これらの利用ログは、必要に応じて、加盟店管理部１４０において端末異常又はエラーの検出、システム的な登録漏れの検出、稼働または取引状態の確認等を含む精査を受ける。
カード情報管理部１３０は、識別情報Ｂ０１中のイシュアＩＤ、カード発行体ＩＤ、シリアル番号別に利用ログを整理し、カード情報ＤＢ１３１のユーザカード別のレコードに利用額、利用の日時、加盟店端末装置ＩＤを記憶させる（Ｓ６０３）。
【手続補正３０】
【補正対象書類名】明細書
【補正対象項目名】００５７
【補正方法】変更
【補正の内容】
【００５７】
また、イシュアＩＤを検索キーとしてイシュア管理部１２０で利用ログをイシュア別に振り分け、さらに、加盟店管理部１４０で利用ログを加盟店別に振り分ける（Ｓ６０４）。加盟店ごとの利用ログについては利用ログＤＢ１４２に蓄積させる（Ｓ６０５）。そして、イシュア別に振り分けられた利用ログから少なくとも利用額についての情報を集計し、これを該当するイシュアのイシュアサーバ２０宛に送出する（Ｓ６０６）。
【手続補正３１】
【補正対象書類名】明細書
【補正対象項目名】００５８
【補正方法】変更
【補正の内容】
【００５８】
利用額についての情報を受信したイシュアサーバ２０では、利用実績管理部２０３で利用ログＤＢ２０３Ａにそれを記憶させる。また、利用実績管理部２０３が、出納管理部２０４に対し、口座ＤＢ２０５中の識別情報Ｂ０１によって特定されるマネー口座から利用金額を引き落とす。そして、電子マネー管理会社と個別に定めた日程で利用金額を電子マネー管理会社に送金するための処理を行う。この送金の処理は、例えば、利用実績管理部２０３からの指示を受けた出納管理部２０４が、主幹銀行の口座管理コンピュータ４０に銀行等システム７０を通じて自己の銀行口座から振り込みを行うことによって行われる。このようにして各イシュアから利用額に相当する現金が電子マネー管理会社に入金されたことがわかると、電子マネー管理サーバ１０は、入金された現金が、電子マネーが利用された加盟店に届くように、現金流通を制御する（Ｓ６０７）。具体的には、例えば、電子マネー管理サーバ１０の精算管理部１８０が利用ログＤＢ１４２中に記憶された加盟店別の利用ログに従い、主幹銀行の口座管理コンピュータ４０に対し、銀行等システム７０を通じて、自己の口座から各加盟店の銀行口座への振り込みを指示し、加盟店に利用額分の現金が届くようにすることにより行う。
【手続補正３２】
【補正対象書類名】明細書
【補正対象項目名】００６０
【補正方法】変更
【補正の内容】
【００６０】
なお、この実施形態では、電子マネーを記録するための記録媒体としてＩＣカードを用いた場合の例を示したが、記録領域を有するＩＣチップを搭載した他のカード媒体、例えばハイブリッドカードを用いてもよいことはいうまでもない。また、このようなＩＣチップを収容した携帯電話、腕時計その他の可搬性のＩＣチップ搭載媒体を用いることができる。これらのＩＣチップは、イシュア毎に発行されるものである。
また、本実施形態を以下のように構成することも可能である。
（１）  本実施形態の電子マネー管理システムは、自らを識別するための媒体識別情報及び電子マネーのイシュアを識別するためのイシュア識別情報を記録してなる可搬性の記録媒体に、指示された金銭的価値分の電子マネーを補充する一又は複数の電子マネー補充手段と通信路を介して接続されるシステムであって、
補充先となる記録媒体の媒体識別情報、イシュア識別情報及び電子マネーの補充情報をいずれかの前記電子マネー補充手段から前記通信路を通じて取得する情報取得手段と、この情報取得手段で取得した情報のうち、イシュア識別情報に基づいてイシュアを特定し、電子マネーの補充情報に基づいて前記補充する電子マネーに対応する金銭的価値を特定するとともにこの金銭的価値を前記特定したイシュア毎に集計し、集計された金銭的価値の該当イシュアへの受け渡しを行う入金管理手段と、を備えたことを特徴とする。
「電子マネーの補充情報」とは補充の事実及びその金銭的価値を特定するための情報をいう。このような構成の電子マネー管理システムにより、イシュア毎に異なる電子マネーであっても任意の記録媒体に補充することができ、且つ補充された電子マネーが利用可能であることを保証することができる。
（２）  電子マネーの補充の指示は、通常は、記録媒体を保有する者が行うことになるが、それ以外の者が行ってもよい。また、電子マネー補充手段で直接指示を受け付けてもよいが、電子マネー管理システム側に、電子マネーの補充の指示と当該電子マネーに対応する金銭的価値とを受け付ける補充指示受付手段と、受け付けた金銭的価値分の電子マネーを補充先となる記録媒体への電子マネーの補充が可能な電子マネー補充手段宛に前記通信路を通じて送出する補充指示管理手段とを備えるようにしてもよい。
（３）  本実施形態の他の電子マネー管理システムは、自らを識別するための媒体識別情報、電子マネーのイシュアを識別するためのイシュア識別情報及び金銭的価値をもつ電子マネーを記録してなる可搬性の記録媒体から当該記録媒体を保有する者が所定の店舗において利用した金銭的価値分の電子マネーを減額する一又は複数の電子マネー減額手段と通信路を介して接続されるシステムであって、前記記録媒体に記録されている媒体識別情報、イシュア識別情報、利用元の店舗を識別するための店舗識別情報及び電子マネーの減額情報をいずれかの電子マネー減額手段から前記通信路を通じて取得する情報取得手段と、この情報取得手段で取得した情報のうち、イシュア識別情報に基づいてイシュアを特定し、店舗識別情報に基づいて利用元の店舗を特定し、電子マネーの減額情報に基づいて金銭的価値を特定するとともにその金銭的価値を前記特定されたイシュア及び店舗毎に集計し、集計された金銭的価値の該当イシュアと該当店舗との間の受け渡しを行う精算管理手段と、を備えたことを特徴とする。
「電子マネーの減額情報」とは減額の事実及びその金銭的価値を特定するための情報をいう。このような構成の電子マネー管理システムにより、イシュア毎に異なる電子マネーであっても任意の電子マネー減額手段から減額することができ、且つ減額された電子マネーによる金銭的価値が店舗に届くことを保証することができる。
（４）  本実施形態の他の電子マネー管理システムは、自らを識別するための媒体識別情報及び電子マネーのイシュアを識別するためのイシュア識別情報を記録してなる可搬性の記録媒体に、指示された金銭的価値分の電子マネーを補充する電子マネー補充手段を通じて、補充先となる前記記録媒体の媒体識別情報、イシュア識別情報及び電子マネーの補充情報を取得する第１の情報取得手段と、
金銭的価値をもつ電子マネーが記録された前記記録媒体から当該記録媒体を保有する者が所定の店舗において利用した金銭的価値分の電子マネーを減額する電子マネー減額手段を通じて、当該記録媒体に記録されている媒体識別情報、イシュア識別情報、利用元の店舗を識別するための店舗識別情報及び電子マネーの減額情報を取得する第２の情報取得手段と、
前記第１情報取得手段で取得した情報のうち、イシュア識別情報に基づいてイシュアを特定し、電子マネーの補充情報に基づいて補充する電子マネーに対応する金銭的価値を特定するとともにこの金銭的価値を前記特定したイシュア毎に集計し、集計された金銭的価値の該当イシュアへの受け渡しを行う入金管理手段と、
前記第２情報取得手段で取得した情報のうち、イシュア識別情報に基づいてイシュアを特定し、店舗識別情報に基づいて利用元の店舗を特定し、電子マネーの減額情報に基づいて金銭的価値を特定するとともにその金銭的価値を前記特定されたイシュア及び店舗毎に集計し、集計された金銭的価値の該当イシュアと該当店舗との間の受け渡しを行う精算管理手段と、を備えたことを特徴とする。
このような構成の電子マネー管理システムにより、イシュア毎に異なる電子マネーであっても任意の記録媒体に補充することができ、また、任意の電子マネー減額手段から減額することができる。また、補充された電子マネーが利用可能であり、減額された電子マネーによる金銭的価値が店舗に届くことを保証することができる。
なお、このような電子マネー管理システムにおいて、入金管理手段と精算管理手段の少なくとも一方が、前記金銭的価値の受け渡しを金銭的価値の流通の制御、例えば所定の金融機関の口座間取引により行わせるように構成されるようにしてもよい。また、上述した補充指示受付手段及び補充指示管理手段をさらに備えるようにしてもよい。
（５）  電子マネーの補充の指示を、前記補充先の記録媒体との間で情報の受け渡しを行う媒体リーダ・ライタが接続され且つ所定の通信路を媒介とした通信を行う通信端末を通じて行うようにし、電子マネー補充手段を、当該記録媒体への電子マネーの補充と当該記録媒体からの媒体識別情報及びイシュア識別情報の読み出しとを媒体リーダ・ライタを通じて行うとともに、電子マネーの補充情報、前記媒体識別情報及び前記イシュア識別情報を、前記通信路を通じて出力可能に構成してもよい。
あるいは、電子マネーの補充の指示を、所定の通信路を媒介とした通信を行う第１の通信端末を通じて行うようにし、前記電子マネー補充手段を、当該記録媒体への電子マネーの補充と当該記録媒体からの媒体識別情報及びイシュア識別情報の読み出しとを当該記録媒体との間で情報の受け渡しを行う媒体リーダ・ライタが接続され且つ前記通信路を媒介とした通信を行う第２の通信端末を通じて行うとともに、電子マネーの補充情報、前記媒体識別情報及び前記イシュア識別情報を、前記通信路を通じて出力可能に構成してもよい。すなわち、補充の指示を行う通信端末と実際に電子マネーを補充するための媒体リーダ・ライタが接続された通信端末とが異なっていてもよい。
さらに、電子マネーの利用を、電子マネーが記録されている前記記録媒体との間で情報の受け渡しを行う媒体リーダ・ライタが接続され且つ所定の通信路を媒介とした通信を行う通信端末を通じて行うようにし、電子マネー減額手段を、当該記録媒体からの電子マネーの減額と当該記録媒体からの媒体識別情報及びイシュア識別情報の読み出しとを前記媒体リーダ・ライタを通じて行うとともに、前記電子マネーの減額情報、前記店舗識別情報、前記媒体識別情報及び前記イシュア識別情報を、前記通信路を通じて出力可能に構成してもよい。
（６）  電子マネー補充手段を店舗の精算レジスタに付加し、当該精算レジスタにおいて生じた釣り銭を電子マネーに換算して記録媒体に補充できるようにしてもよい。このようにすれば、小額の金銭的価値を扱うことができる電子マネーの利点を活用して、電子マネーをより一般に普及できるようになる。
（７）  記録媒体に電子マネーを補充する際に、必ずしも補充（記録）が正常に終了したかどうかがわからない場合がある。通信路を介して電子マネーを補充する場合は、特にその傾向がある。そこで、補充が正常終了しない記録媒体についてはリカバリ処理、すなわち、当該記録媒体を正常終了した状態に修復させる処理を行うリカバリ管理手段を備えるようにする。
（８）  記録媒体への電子マネーの補充履歴と当該記録媒体からの電子マネーの利用履歴とを媒体識別情報とリンクさせて記録する履歴管理手段を備えて、記録媒体の活用状況を把握できる電子マネー管理システムにしてもよい。
（９）  前述した補充指示受付手段で、補充先の記録媒体を保有する者以外の第三者からの電子マネーの補充の指示を受け付けるようにし、前述した補充管理手段において、補充対象となる電子マネーに対応する金銭的価値を前記第三者の名称及び前記特定の記録媒体の媒体識別情報と共に保持するとともに、当該特定の記録媒体への補充可能な電子マネー補充手段が特定されたときに前記保持している電子マネーを当該記録媒体に補充させるようにしてもよい。この場合の第三者をイシュアとし、当該イシュアが独自に定めた条件に適合する記録媒体宛にそのイシュアが発行した所定の金銭的価値分の電子マネーの補充の指示が発出されるようにしてもよい。第三者からの電子マネーの補充指示を受け付けた場合は、特定の記録媒体を保有する者宛に所定のメッセージを送出するメッセージ管理手段をさらに備えるようにする。
（１０）  本実施形態の電子マネー管理方法は、コンピュータで所定のコンピュータプログラムを読み込むことにより、そのコンピュータにおいて、自らを識別するための媒体識別情報及び電子マネーのイシュアを識別するためのイシュア識別情報を記録してなる可搬性の記録媒体に、指示された金銭的価値分の電子マネーを補充する電子マネー補充手段を通じて、補充先となる前記記録媒体の媒体識別情報、イシュア識別情報及び電子マネーの補充情報を取得する第１の情報取得処理と、
金銭的価値をもつ電子マネーが記録された前記記録媒体から当該記録媒体を保有する者が所定の店舗において利用した金銭的価値分の電子マネーを減額する電子マネー減額手段を通じて、当該記録媒体に記録されている媒体識別情報、イシュア識別情報、利用元の店舗を識別するための店舗識別情報及び電子マネーの減額情報を取得する第２の情報取得処理と、
取得した情報のうち、イシュア識別情報に基づいてイシュアを特定し、電子マネーの情報に基づいて補充する電子マネーに対応する金銭的価値を特定するとともにこの金銭的価値を前記特定したイシュア毎に集計し、集計された金銭的価値の該当イシュアへの受け渡しを行う入金管理処理と、
取得した情報のうち、イシュア識別情報に基づいてイシュアを特定し、店舗識別情報に基づいて利用元の店舗を特定し、電子マネーの情報に基づいて金銭的価値を特定するとともにその金銭的価値を前記特定されたイシュア及び店舗毎に集計し、集計された金銭的価値の該当イシュアと該当店舗との間の受け渡しを行う精算管理処理とを実行し、
複数のイシュアの各々が独自に管理する電子マネーを任意の電子マネー補充手段において補充可能にするとともに任意の電子マネー減額手段において減額可能にする環境を構築することを特徴とする。
（１１）  本実施形態のコンピュータプログラムは、コンピュータに、上記の電子マネー管理方法における各処理を実行させるためのコンピュータプログラムであり、コンピュータ読みとり可能な記録媒体に記録されることにより実体化されるものである。
以上の実施形態によれば、どのイシュアが発行した電子マネーであっても記録媒体に電子マネーを補充したり、補充された電子マネーを利用したりするための仕組みを提供することが可能になる。
【手続補正３３】
【補正対象書類名】明細書
【補正対象項目名】００６２
【補正方法】変更
【補正の内容】
【００６２】
１  電子マネーシステム
１０  電子マネー管理サーバ
１１０  入金管理部
１２０  イシュア管理部
１３０  カード情報管理部
１４０  加盟店管理部
１５０  補充指示管理部
１６０  リカバリ処理部
１７０  端末装置認証部
１８０  精算管理部
１９０  通信インタフェース
２０  イシュアサーバ
２０１  制御部
２０２  入金実績管理部
２０３  利用実績管理部
２０４  出納管理部
２０５  口座ＤＢ
３０  入金端末装置
３０２  ＩＣカードリーダ・ライタ
３１０  通信インタフェース
４０  主幹銀行の口座管理コンピュータ
５０  加盟店端末装置
５０２  ＩＣカードリーダ・ライタ
５０８  通信インタフェース
６０  家庭用端末装置
６２  ＩＣカードリーダ・ライタ
７０  銀行等システム
ＵＣ  ユーザカード
【手続補正３４】
【補正対象書類名】図面
【補正対象項目名】図６
【補正方法】変更
【補正の内容】
【図６】
2006085723.tif 000001
【手続補正３５】
【補正対象書類名】図面
【補正対象項目名】図１０
【補正方法】変更
【補正の内容】
【図１０】
2006085723.tif 000002